(57)【要約】【課題】ねじ棒を共回りさせることなく、電動工具を使用してナットを締め付けることができるブラインドファスナーを提供する。【解決手段】ブラインドファスナー１は、ねじ棒２と、ロックヘッド３と、ねじ棒２に螺合されるナット４と、回り止め座金５とを具備する。ロックヘッド３は、ねじ棒２の一端側に、それの軸線直交方向に貫通する枢ピン６により枢支され、挿入位置と、ロック位置との間で回転自在である。ナット４は、ねじ棒２の他端側に螺合される。回り止め座金５は、ナット４と被締結部材３７との間に配置される。ねじ棒２は、その外周に、そのほぼ全長にわたって延びる切欠平面２ａを具備する。回り止め座金５は、ねじ棒２を相対回転不可能に挿通させる形状の挿通孔５ａと、ナット４の締め付け作業中にねじ棒２を共回りさせないように保持する支持部５ｂとを具備する。【選択図】図１
2011122647.tif 000002
【特許請求の範囲】
【請求項１】
ねじ棒と、このねじ棒の一端側にねじ棒を軸線直交方向に貫通する枢ピンにより枢支されねじ棒とほぼ平行に配置される挿入位置とねじ棒と直交方向に配置されるロック位置との間で回転自在のロックヘッドと、前記ねじ棒の他端側に螺合されるナットと、このナットと被締結部材との間に配置されるように前記ねじ棒に嵌め込まれる回り止め座金とを具備し、
前記ねじ棒は、外周に他端からそのほぼ全長にわたって延びる切欠平面を具備し、
前記回り止め座金は、前記ねじ棒を相対回転不可能に挿通させる形状の挿通孔と、ナットの締め付け作業中にねじ棒を共回りさせないように保持する支持部とを具備することを特徴とするブラインドファスナー。
【請求項２】
前記回り止め座金の支持部は、前記ねじ棒への装着状態で、指を添えて支持できるように、ねじ棒に対して半径方向へ延出する摘み操作部であることを特徴とする請求項１に記載のブラインドファスナー。
【請求項３】
前記回り止め座金の支持部は、当該回り止め座金の着座面が着座する被締結部材に予め形成された係止凹部に係合するように、止め座金の着座面に突設された係止突部であることを特徴とする請求項１に記載のブラインドファスナー。
【請求項４】
前記ねじ棒は、単一の前記切欠平面を具備して横断面切欠円形状に形成され、前記回り止め座金の挿通孔は、ねじ棒を相対回転不可能に挿通させる切欠円形状に形成されることを特徴とする請求項１又は2に記載のブラインドファスナー。
【発明の詳細な説明】
【技術分野】
【０００１】
この発明は、閉鎖空間や狭小空間に連通する貫通孔にねじ棒を挿入してナットで被締結部材を締め付けるブラインドファスナーに関する。
【背景技術】
【０００２】
貫通孔の裏側に手を差し込んでボルトを貫通させたり、ナットを螺合させたりすることのできない閉鎖された内部空間を有する壁面等に被締結部材を固定するための締結具として、ブラインドボルトなどと称されるブラインドファスナーが広く普及している。その一例を図１１に示す。ブラインドファスナー３１は、ねじ棒３２と、その一端側にピン３３で回転自在に取り付けられたアンカーヘッド３４とを具備し、ねじ棒３２には他端側からナット３５が螺着される。アンカーヘッド３４は、軸方向の中心から僅かに一方向に偏った位置でピン３３にて枢支される。
【０００３】
このブラインドファスナー３１を用いて支持部材３６上に被締結部材３７を固定するには、先ずアンカーヘッド３４を回転操作して、図１１Ｂに示すように、その軸線とねじ棒３２の軸線とを一致させる。次いで、アンカーヘッド３４と共に、ねじ棒３２の一端側を支持部材３６の貫通孔３６aに表側から挿入し、図１１Ｃに示すように、ねじ棒３２を軸線の周りに１８０°回転すると、アンカーヘッド３４がアンバランスによりピン３３周りに回転し、ねじ棒３２の軸線直交方向に向く。その状態でねじ棒３２を貫通孔３６aの表側に引っ張ると、図１１Ｄに示すように、アンカーヘッド３４が貫通孔３６aの裏側に接触した状態になる。次いで、支持部材３６上に被締結部材３７を添えて、ねじ棒３２を被締結部材３７の挿通孔３７ａに挿通させ、ナット３５で締結する。
【先行技術文献】
【特許文献】
【０００４】
【特許文献１】特開２００４−１５０６０４号公報（図１〜５）
【発明の概要】
【発明が解決しようとする課題】
【０００５】
上記従来のブラインドファスナー３１においては、ナット３５を螺合する際に、一方の手でねじ棒３２を保持していないと、ねじ棒３２が共回りしてしまうので、電動工具を使用してナット３５を締め付けることができない。手動工具を使用してナットの締め付け作業を行うのは非効率的である。
したがって、この出願に係る発明は、ねじ棒を共回りさせることなく、電動工具を使用してナットを締め付けることができるブラインドファスナーを提供することを目的としている。
【課題を解決するための手段】
【０００６】
以下、添付図面の符号を参照して説明するが、本発明はこれに限定されるものではない。
上記課題を解決するための、この出願に係る発明のブラインドファスナー１は、ねじ棒２と、ロックヘッド３と、ねじ棒２に螺合されるナット４と、回り止め座金５とを具備する。ロックヘッド３は、ねじ棒２の一端側に、それの軸線直交方向に貫通する枢ピン６により枢支され、ねじ棒２とほぼ平行に配置される挿入位置と、ねじ棒２と直交方向に配置されるロック位置との間で回転自在である。ナット４は、ねじ棒２の他端側に螺合される。回り止め座金５は、ナット４と被締結部材３７との間に配置されるようにねじ棒２に嵌め込まれる。ねじ棒２は、その外周に、他端からそのほぼ全長にわたって延びる切欠平面２ａを具備する。回り止め座金５は、ねじ棒２を相対回転不可能に挿通させる形状の挿通孔５ａと、ナット４の締め付け作業中にねじ棒２を共回りさせないように保持する支持部５ｂとを具備する。
回り止め座金５の支持部５ｂは、ねじ棒２への装着状態で、指を添えて支持できるように、ねじ棒２に対して半径方向へ延出する摘み操作部として構成することができる。
また、回り止め座金５の支持部５ｂは、当該回り止め座金の着座面が着座する被締結部材３７に予め形成された係止凹部３７ｂに係合するように、着座面に突設された係止突部として構成することができる。
【発明の効果】
【０００７】
この出願に係る発明のブラインドファスナーによれば、回り止め座金５の支持部５ｂを一方の手や、被締結部材３７の係止凹部３７ｂによって保持することにより、ねじ棒２を共回りさせることなく、電動工具を用いてナット４の締め付け作業を効率的に行うことができる。
【図面の簡単な説明】
【０００８】
【図１】本発明に係るブラインドファスナーの分解斜視図である。
【図２】図１のブラインドファスナーの正面図である。
【図３】図１のブラインドファスナーの側面図である。
【図４】図１のブラインドファスナーの使用状態を示す正面図である。
【図５】図１のブラインドファスナーの使用状態を示す正面図である。
【図６】図１のブラインドファスナーの使用状態を示す正面図である。
【図７】図１のブラインドファスナーの使用状態を示す正面図である。
【図８】本発明に係るブラインドファスナーの他の実施形態における回り止め座金の平面図である。
【図９】図１の回り止め座金の正面図である。
【図１０】図８の回り止め座金を用いたブラインドファスナーの使用状態を示す正面図である。
【図１１】従来のブラインドファスナーの説明図である。
【発明を実施するための形態】
【０００９】
図面を参照してこの発明の実施の形態を説明する。ブラインドファスナー１は、ねじ棒２と、ロックヘッド３と、ねじ棒２に螺合されるナット４と、回り止め座金５とを具備する。７は平座金、８ばね座金で、必要に応じて、ナット４と回り止め座金５との間に介設される。
【００１０】
ロックヘッド３は、ねじ棒２の一端側に、それの軸線直交方向に貫通する枢ピン６により枢支され、ねじ棒２とほぼ平行に配置される挿入位置（図４，５）と、ねじ棒２と直交方向に配置されるロック位置（図２，７）との間で回転自在である。
【００１１】
ナット４は、ねじ棒２の他端側に螺合される。回り止め座金５は、図６，７に示すように、装着状態において、ナット４と被締結部材３７との間に配置されるようにねじ棒２に嵌め込まれる。
【００１２】
ねじ棒２は、その外周に、他端からそのほぼ全長にわたって延びる切欠平面２ａを具備する。したがって、ねじ棒２は、横断面切欠円形状に形成される。なお、切欠平面２ａは、単一に限定されない。
【００１３】
図１〜７の実施形態において、回り止め座金５は、短冊状金属板材を屈曲形成してなり、ねじ棒２を相対回転不可能に挿通させるための、ねじ棒断面と相似形の切欠円形状の挿通孔５ａを具備する。挿通孔５ａは、ねじ棒２を相対回転不可能に挿通させるために、ねじ棒２の断面形状に応じた種々の異なる形状を取り得る。回り止め座金５は、ナット４の締め付け作業中に、ねじ棒２を共回りさせないように保持するための支持部５ｂを具備する。支持部５ｂは、ねじ棒２への装着状態で、側方から指を添えて支持できるように、ねじ棒２に対して半径方向へ延出し、端部において垂直に起立した摘み操作部５ｂとして構成される。
【００１４】
このブラインドファスナー１を用いて支持部材３６上に被締結部材３７を固定するには、先ずアンカーヘッド３を回転操作し、図４，５に示すように、アンカーヘッド３を立て、ねじ棒２と平行近くに配置して保持する。次いで、アンカーヘッド３と共に、ねじ棒２の一端側を被締結部材３７の貫通孔３７a及び支持部材３６の貫通孔３６aに表側から挿入し、図６に示すように、アンカーヘッド３をアンバランスにより、ねじ棒２の軸線直交方向に向かせる。その状態で回り止め座金５の支持部５ｂに指を添えてこれを保持し、ナット４に電動工具３８を掛けて締め込む。回り止め座金５と被締結部材３７との摩擦抵抗が一定以上に高まるまで、回り止め座金５が片手で保持されるので、ねじ棒２はナット４と共回りすることがなく、締め付け作業は円滑に行われる。
【００１５】
図８〜１０に示す他の実施形態における回り止め座金５の支持部５ｂは、着座面に突設された係止突部５ｂとして構成される。回り止め座金５が着座する被締結部材３７には、予め係止凹部３７ｂが形成され、係止突部５ｂがこれに係合するように構成される。
【００１６】
この実施形態の場合、アンカーヘッド３と共に、ねじ棒２を貫通孔３６ａ，３７aへ挿入したら、回り止め座金５を被締結部材３７上へ着座させ、係止突部５ｂを係止凹部３７ｂに係合させる。これにより、回り止め座金５がねじ棒２と共に、被締結部材３７上に回り止めされて支持されるから、ナット４に電動工具３８を掛けてこれを円滑に締め込むことができる。
【符号の説明】
【００１７】
１    ブラインドファスナー
２    ねじ棒
２ａ  切欠平面
３    アンカーヘッド
４    ナット
５    回り止め座金
５ａ  挿通孔
５ｂ  支持部（摘み操作部、係止突部）
６    枢ピン
３６  支持部材
３７  被締結部材
【図１】
2011122647.tif 000003
【図２】
2011122647.tif 000004
【図３】
2011122647.tif 000005
【図４】
2011122647.tif 000006
【図５】
2011122647.tif 000007
【図６】
2011122647.tif 000008
【図７】
2011122647.tif 000009
【図８】
2011122647.tif 000010
【図９】
2011122647.tif 000011
【図１０】
2011122647.tif 000012
【図１１】
2011122647.tif 000013